(57)【要約】【課題】接着剤を使用することなく組み立て状態を維持して柱状物品を確実に支持することができ、作業性が良く製造コストを低減することができる組み立て支持体を提供する。【解決手段】第１底板２の前後側縁に連設された両側板９を起立させ、第１底板２の左右側縁に連設された各第１支持板５を内側方向に傾斜する姿勢に起立させ、各第１支持板５に連設された各第２支持板６を内側方向に斜め下方に折り曲げ、各第２支持板６に連設された両第２底板７を内側方向に水平に折り曲げて第１底板２上に重合させ、両第２底板７の前後端部１２を、両側板９と第１底板２の境界において両側板９の左右端部に形成された切込み１１に差し込んで係止する。各第１支持板５と各第２支持板６とによって第１底板２上に山形状に突出形成された複数の突出部３間を支持部４として各支持部４に横倒状態の柱状物品を支持する。【選択図】図１
2006069577.tif 000002
【特許請求の範囲】
【請求項１】
箱内に設けて複数の柱状物品を互いに間隔を存して横倒状態に支持する段ボール製の組み立て支持体であって、
矩形状の第１底板と、該第１底板の左右側縁の夫々に第１折り目線を介して連設され、該第１底板の左右側縁に沿って柱状物品に対応する所定間隔を存して配設された複数の第１支持板と、各第１支持板の先端縁に第２折り目線を介して連設された複数の第２支持板と、各第２支持板の先端縁が第３折り目線を介して内側縁に連設され、前記第１底板の左右側縁に平行に延びる一対の第２底板と、前記第１底板の前後側縁の夫々に第４折り目線を介して連設された一対の側板とを備え、
両側板を第４折り目線に沿って起立させ、各第１支持板を第１折り目線に沿って内側方向に傾斜する姿勢に起立させ、各第２支持板を第２折り目線に沿って内側方向に斜め下方に折り曲げ、両第２底板を第３折り目線に沿って内側方向に水平に折り曲げて第１底板上に重合させ、両第２底板の前後端部を、両側板と第１底板との境界において両側板の左右端部に形成された切込みに差し込んで係止し、
各第１支持板と各第２支持板とによって第１底板上に山形状に突出形成された複数の突出部間を支持部として各支持部に横倒状態の柱状物品を支持することを特徴とする組み立て支持体。
【請求項２】
第１底板の左右側縁の各第１支持板間の間隔内に連設されて水平に延びる複数の延出片を設けたことを特徴とする請求項１記載の組み立て支持体。
【請求項３】
前記各側板の所定位置に開口する把持孔を設けたことを特徴とする請求項１又は２記載の組み立て支持体。
【発明の詳細な説明】
【技術分野】
【０００１】
本発明は、本発明は、例えば人工腎臓等の柱状物品を横倒姿勢で複数配列して箱内に収めたとき、互いに隣り合う柱状物品同士の接触を防止して各柱状物品を支持する段ボール製の組み立て支持体に関する。
【背景技術】
【０００２】
従来、複数の柱状物品を横倒状態で所定間隔を存して支持する支持体が知られている（例えば、特許文献１参照）。この種の支持体は、一枚の板紙を折り曲げ接着して形成される。即ち、底板の一側縁に折り目線を介して連設された支持板形成部を、該折り目線に沿って底板上に折り返し、支持板形成部の一部を山折にして支持板を形成した後に該支持板形成部の他部（支持板の両側で底板に重合された部分）を底板に接着する。支持板には、山折にされた際に複数の凹部が形成され、この凹部に柱状物品を係合させて支持する。
【０００３】
しかし、このような支持体は、支持板形成部を底板上に折り返して底板に接着する構成であるために、支持板形成部を底板上に折り返した後に、底板上における支持板形成部の接着位置が特定できないために、支持体の形状にバラツキが生じる不都合がある。また、支持板形成部を底板上に折り返した後に支持板形成部と底板とを接着する作業が必要であるために、作業性が悪いだけでなく、接着剤を使用するために製造コストがかかる不都合がある。
【特許文献１】特開平１１−２９１７０号公報（図１、図２）
【発明の開示】
【発明が解決しようとする課題】
【０００４】
かかる不都合を解消して、本発明は、接着剤を使用することなく組み立て状態を維持して柱状物品を確実に支持することができ、作業性が良く製造コストを低減することができる組み立て支持体を提供することを目的とする。
【課題を解決するための手段】
【０００５】
本発明は、箱内に設けて複数の柱状物品を互いに間隔を存して横倒状態に支持する段ボール製の組み立て支持体であり、例えば人工腎臓等の柱状物品を箱詰めする際に箱内における物品の動きを規制して物品の損傷を防止するものである。
【０００６】
本発明の支持体は、前記の目的を達成するために、段ボール板紙による展開状態では、矩形状の第１底板と、該第１底板の左右側縁の夫々に第１折り目線を介して連設され、該第１底板の左右側縁に沿って柱状物品に対応する所定間隔を存して配設された複数の第１支持板と、各第１支持板の先端縁に第２折り目線を介して連設された複数の第２支持板と、各第２支持板の先端縁が第３折り目線を介して内側縁に連設され、前記第１底板の左右側縁に平行に延びる一対の第２底板と、前記第１底板の前後側縁の夫々に第４折り目線を介して連設された一対の側板とを備えている。
【０００７】
そして、このような構成による展開状態から支持体を組み立てるときには、両側板を第４折り目線に沿って起立させ、各第１支持板を第１折り目線に沿って内側方向に傾斜する姿勢に起立させ、各第２支持板を第２折り目線に沿って内側方向に斜め下方に折り曲げ、両第２底板を第３折り目線に沿って内側方向に水平に折り曲げて第１底板上に重合させ、両第２底板の前後端部を、両側板と第１底板との境界において両側板の左右端部に形成された切込みに差し込んで係止する。こうして組み立てられた支持体は、各第１支持板と各第２支持板とによって第１底板上に山形状に突出形成された複数の突出部間を支持部として各支持部に横倒状態の柱状物品を支持する。
【０００８】
本発明によれば、前記の各折り目線に沿って各板を折り曲げた後、両側板の左右端部の切込みに、第１底板上に重合させた両第２底板の前後端部を差し込むだけで、容易に組み立てが完了し、接着剤等を用いることなく支持体としての組み立て状態が確実に維持される。そして、第１支持板と第２支持板とによって形成された突出部は、両側板の切込みに第２支持板が係止されていることによって、山形状の突出状態が強固に維持されるので、各突出部の間に凹状に形成される各支持部に物品を確実に支持することができる。
【０００９】
このように、本発明によれば、組み立ての際の作業性が良いだけでなく、接着剤等を不要として柱状物品を確実に支持することができ、接着剤等にかかる経費も削減できて製造コストを低く抑えた支持体を提供することができる。
【００１０】
また、本発明においては、第１底板の左右側縁の各第１支持板間の間隔内に連設されて水平に延びる複数の延出片を設けることが好ましい。延出片を設けることにより、前記支持部に支持された物品の第１底板から左右にはみ出した部分の下方に該延出片が延出するので、物品をその下方側から保護することができる。更に、該延出片の延出寸法を、支持体を収容する箱の内寸に合わせて形成することで、箱内に収容された支持体の動きを延出片を介して箱の周壁で規制することができ、箱内において支持体による物品の支持状態を良好に安定させることができる。
【００１１】
また、本発明においては、前記各側板の所定位置に開口する把持孔を設けることが好ましい。これにより、両側板の把持孔を介して支持体を把持することができ箱内への出し入れを円滑に行うことができる。
【発明を実施するための最良の形態】
【００１２】
本発明の一実施形態を図面に基づいて説明する。図１は本実施形態の支持体を示す説明的斜視図、図２は図１の説明的平面図、図３は本実施形態の支持体の展開図、図４は本実施形態の支持体の組み立て工程を示す説明図である。
【００１３】
先ず、本実施形態の支持体１の組み立て状態での構成を説明する。本実施形態の支持体１は図示しない箱に収納されるものであり、図１及び図２に示すように、第１底板２上に山形状に突出成形された複数の突出部３を備えている。各突出部３は、第１底板２の左右側に沿って２列に並んで形成され、夫々の列に並ぶ各突出部３は、前後方向に所定間隔を存して設けられている。この各突出部３間の凹状の間隔が支持部４とされ、各支持部４には、柱状物品である複数の人工腎臓Ｗ（図２において仮想線示する）が横倒状態で支持される。
【００１４】
突出部３は、第１底板２の左右縁から内側方向に斜めに立ち上がる第１支持板５と、第１支持板５に連設されて内側方向に下方に傾斜する第２支持板６とによって形成されている。第２支持板６には第２底板７が連設され、第２底板７は第１底板２上に重合されている。また、各突出部３の間（各支持部４の位置）から第１底板２の左右側外方には複数の延出片８が延出されている。右側の延出片８の先端から左側の延出片８の先端までの距離は、図示しない箱の底板の幅に対応しており、箱内に支持体１を収容したときには、右側の延出片８の先端と左側の延出片８の先端とが箱の周壁内面に当接して支持体１の動きが規制されるようになっている。
【００１５】
第１底板２の前後縁には互いに対向して起立する一対の側板９が設けられている。各側板９には大略楕円状に切欠かれて開口する把持孔１０が形成されている。両側板９は第１底板２に一体に連設されており、把持孔１０を把持して支持体１を容易に持ち上げることができる。また、各側板９の下端部（第１底板２との境界位置）の左右端部には切込み１１が形成されており、各切込み１１には、第２底板７の前後側の端部に形成された差込み部１２が差し込まれて係止されている。各側板９の切込み１１が第２底板７の差込み部１２を係止していることによって、例えば、第２底板７を第１底板２に接着することなく、各突出部３の突出状態を確実に維持することができ、支持部４における人工腎臓Ｗの支持を確実に維持することができる。
【００１６】
次に、本実施形態の支持体１の展開状態の構成及び展開状態からの組み立て手順を詳細に説明する。なお、ここで説明する組み立て手順は、本実施形態において簡単迅速に組み立てられる手順の一つを示すものであって、作業者が適宜行う他の組み立て手順を妨げるものではない。
【００１７】
支持体１は、図３に示すように、略矩形状に打ち抜いて形成された段ボール板紙１３から組み立てられる。この板紙１３は、矩形状の第１底板２が中央部に位置し、第１底板２の左右側縁の夫々には、第１折り目線１４を介して夫々複数の第１支持板５が所定間隔を存して連設されている。各第１支持板５の先端縁には、第２折り目線１５を介して第２支持板６が連設されている。また、各第１支持板５の間には切れ目線１６を介して延出片８が形成されている。後述するが、各第１支持板５を起立方向に折り曲げたとき、切れ目線１６を介して各延出片８の間から各第１支持板５が離脱し、各延出片８は第１底板２と連続する水平状態を維持する。
【００１８】
各第２支持板６の先端縁には、第３折り目線１７を介して第２底板７が連設されている。第２底板７の前後側の端部には段差によって形成された差込み部１２が形成されている。また、第１底板２の前後側縁の夫々には、第４折り目線１８を介して一対の側板９が連設されている。各側板９の第１底板２との境界の左右端部には切込み１１が形成されている。各側板９における切込み１１の間には前記第４折り目線１８が位置する。また、各側板９には、前記把持孔１０が開口形成されている。
【００１９】
段ボール板紙１３から支持体１を組み立てるときには、先ず、図４（ａ）に示す展開状態から、図４（ｂ）に示すように、各第２支持板６を第２折り目線１５に沿って内側に折り曲げ、第１支持板５に重合させた状態とする。これにより、第１底板２上に第２底板７が重合した状態となる。次いで、図４（ｃ）に示すように、各側板９を第４折り目線１８に沿って起立させる。これにより、各側板９の切込み１１が第２底板７の内側縁に対向する。そして、図４（ｄ）に示すように、第１折り目線１４と第３折り目線１７とに沿って第１支持板５と第２支持板６とを共に起立方向に折り曲げつつ、両第２底板７を互いに接近する方向に第１底板２に沿って水平に移動させ、更に、第２底板７の差込み部１２を側板９の切込み１１に差し込む。これにより、側板９の切込み１１による第２底板７の差込み部１２の係止によって、第２底板７が第１底板２上に固定され、接着剤を使用しなくても、図１に示す組み立て状態が確実に維持される支持体１を容易に組み立てることができる。
【００２０】
このように、本実施形態の支持体１によれば、各折り目線１４，１５，１７，１８に沿って各部を折り曲げた後、側板９の切込み１１に第２底板７の差込み部１２を差し込むだけで容易に組み立てることができる。しかも、接着剤を使用しないので、煩わしい接着作業が不要となると共に製造コストを抑えることができる。
【００２１】
そしてまた、本実施形態の支持体１によれば、図１に示すように、第１底板２の上方に各突出部３の頂部が位置するので、図示は省略するが、各突出部３の頂部に他の同形状の支持体１の第１底板２を載置して互いに積み重ねることができ、箱の高さ寸法に応じて安定した積み重ね状態で複数の人工腎臓Ｗを効率よく支持することができる。
【図面の簡単な説明】
【００２２】
【図１】本発明の一実施形態の支持体を示す説明的斜視図。
【図２】図１の説明的平面図。
【図３】本実施形態の支持体の展開図。
【図４】本実施形態の支持体の組み立て工程を示す説明図。
【符号の説明】
【００２３】
Ｗ…人工腎臓（柱状物品）、１…組み立て支持体、２…第１底板、３…突出部、４…支持部、５…第１支持板、６…第２支持板、７…第２底板、８…延出片、９…側板、１０…把持孔、１１…切込み、１４…第１折り目線、１５…第２折り目線、１７…第３折り目線、１８…第４折り目線。
【図１】
2006069577.tif 000003
【図２】
2006069577.tif 000004
【図３】
2006069577.tif 000005
【図４】
2006069577.tif 000006